(57)【要約】【課題】タイトルをサーチする際の使用性を向上することのできるディスク再生装置を提供する。【解決手段】ビデオレコーディング規格によりＤＶＤに記録されたオリジナル画像及びプレイリストの画像を再生できるディスク再生装置１において、オリジナル画像のタイトル情報とプレイリストのタイトル情報とをディスクのロード時に読み込んで記憶するメモリ８を備え、オリジナル画像の再生時にプレイリストのタイトル情報をメモリ８から取り出してプレイリストをサーチできるとともにプレイリストの再生時にオリジナル画像のタイトル情報をメモリ８から取り出してオリジナル画像をサーチできるようにした。【選択図】      図３
2004334955.tif 000002
【特許請求の範囲】
【請求項１】
ビデオレコーディング規格によりＤＶＤに記録されたオリジナル画像を再生するとともに、プレイリストによりオリジナル画像の所定部分を取り出して再生できるディスク再生装置において、オリジナル画像のタイトル情報とプレイリストのタイトル情報とをディスクのロード時に読み込んで記憶するメモリと、オリジナル画像の再生時にプレイリストのタイトル情報を前記メモリから取り出してプレイリストをサーチするとともにプレイリストの再生時にオリジナル画像のタイトル情報を前記メモリから取り出してオリジナル画像をサーチする制御部とを備えたことを特徴とするディスク再生装置。
【請求項２】
ディスクに記録されたオリジナル画像を再生するとともに、プレイリストによりオリジナル画像の所定部分を取り出して再生できるディスク再生装置において、オリジナル画像のタイトル情報とプレイリストのタイトル情報とをディスクのロード時に読み込んで記憶するメモリと、オリジナル画像の再生時にプレイリストのタイトル情報を前記メモリから取り出してプレイリストをサーチするとともにプレイリストの再生時にオリジナル画像のタイトル情報を前記メモリから取り出してオリジナル画像をサーチする制御部とを備えたことを特徴とするディスク再生装置。
【発明の詳細な説明】
【０００１】
【発明の属する技術分野】
本発明は、ＤＶＤ等のディスクを再生するディスク再生装置に関し、特に、プレイリストによってオリジナル画像の所定部分を取り出して再生できるディスク再生装置に関する。
【０００２】
【従来の技術】
ビデオレコーディング規格のＤＶＤはオリジナル画像が記録されるとともに、オリジナル画像の所定部分を取り出して再生するプレイリストが設けられている。図６はプレイリストの構成例を示す概念図である。ＤＶＤに記録されるオリジナル画像は複数のタイトルＡ、Ｂ、Ｃから成っており、各タイトルはそれぞれ複数のチャプターＡ１〜Ａ５、Ｂ１〜Ｂ４、Ｃ１〜Ｃ３から成っている。各タイトルや各チャプターの開始位置及び終了位置から成るタイトル情報もオリジナル画像の画像情報に加えてＤＶＤに記録されている。
【０００３】
プレイリストは記録時に作成された一または複数のタイトルのタイトル情報から成り、画像情報は含まれない。タイトル情報はタイトル名の情報に加え、オリジナル画像から取り出す部分の開始位置及び終了位置の位置情報を有している。同図では、タイトルａはオリジナル画像のタイトルＡのチャプターＡ２、タイトルＢのチャプターＢ２、Ｂ４、タイトルＣのチャプターＣ１から成っている。タイトルｂはオリジナル画像のタイトルＢのチャプターＢ３、タイトルＣのチャプターＣ３から成っている。オリジナル画像の各チャプターの途中を開始位置または終了位置にしてもよい。
【０００４】
ＤＶＤがロードされると特許文献１に開示されるようにオリジナル画像のタイトル情報を取得して記憶部に記憶した後、先頭のタイトルの開始位置にアクセスしてオリジナル画像が再生される。また、所定の操作により記憶部から取得したオリジナル画像のタイトル情報をサーチ画面に一覧表示して別タイトルを選択することができる。これにより、選択されたタイトルの開始位置にアクセスしてオリジナル画像が再生される。
【０００５】
また、所定の操作によってプレイリストの再生を指示すると、ＤＶＤからプレイリストのタイトル情報を取得し、サーチ画面に一覧表示してタイトルを選択することができる。これにより、選択されたタイトルの開始位置にアクセスしてプレイリストの画像が再生される。
【０００６】
【特許文献１】
特開２００２−７４９１３（第３頁〜第４頁、第２図）
【０００７】
【発明が解決しようとする課題】
しかしながら、上記従来のディスク再生装置によると、オリジナル画像の再生中にプレイリストをサーチする際に、ＤＶＤの再生を停止して表示された初期画面画面からプレイリストのサーチを指示する。これにより、ＤＶＤからプレイリストのタイトル情報が読み込まれてサーチ画面に一覧表示される。このため、操作が煩雑になるとともに操作時間がかかりディスク再生装置の使用性が悪い問題があった。
【０００８】
同様に、プレイリストの画像の再生中にオリジナル画像をサーチする際に、ＤＶＤを停止して初期画面を表示し、オリジナル画像のサーチを指示する。これにより、ＤＶＤからオリジナル画像のタイトル情報が読み込まれてサーチ画面に一覧表示される。このため、上記と同様に操作が煩雑になるとともに操作時間がかかる問題がある。
【０００９】
本発明は、タイトルをサーチする際の使用性を向上できるディスク再生装置を提供することを目的とする。
【００１０】
【課題を解決するための手段】
上記目的を達成するために本発明は、ビデオレコーディング規格によりＤＶＤに記録されたオリジナル画像を再生するとともに、プレイリストによりオリジナル画像の所定部分を取り出して再生できるディスク再生装置において、オリジナル画像のタイトル情報とプレイリストのタイトル情報とをディスクのロード時に読み込んで記憶するメモリと、オリジナル画像の再生時にプレイリストのタイトル情報を前記メモリから取り出してプレイリストをサーチするとともにプレイリストの再生時にオリジナル画像のタイトル情報を前記メモリから取り出してオリジナル画像をサーチする制御部とを備えたことを特徴としている。
【００１１】
この構成によると、ディスク再生装置にディスクを装填するとディスクのロードが行われ、オリジナル画像のタイトル情報とプレイリストのタイトル情報とがメモリに記憶される。オリジナル画像の再生時に所定の操作を行うとメモリからタイトル情報が読み込まれてプレイリストのタイトルが表示される。これにより所望のプレイリストのタイトルを選択して選択したタイトルが再生される。また、プレイリストの画像の再生時に所定の操作を行うとメモリからタイトル情報が読み込まれてオリジナル画像のタイトルが表示される。これにより所望のオリジナル画像のタイトルを選択して選択したタイトルが再生される。
【００１２】
また本発明は、ディスクに記録されたオリジナル画像を再生するとともに、プレイリストによりオリジナル画像の所定部分を取り出して再生できるディスク再生装置において、オリジナル画像のタイトル情報とプレイリストのタイトル情報とをディスクのロード時に読み込んで記憶するメモリと、オリジナル画像の再生時にプレイリストのタイトル情報を前記メモリから取り出してプレイリストをサーチするとともにプレイリストの再生時にオリジナル画像のタイトル情報を前記メモリから取り出してオリジナル画像をサーチする制御部とを備えたことを特徴としている。
【００１３】
【発明の実施の形態】
以下に本発明の実施形態を図面を参照して説明する。図１は一実施形態のディスク再生装置の構成を示すブロック図である。ディスク再生装置１はＣＰＵから成る制御部２を有し、制御部２にはドライブ３、操作部４、受信部５、音声出力部６、画像出力部７、記憶部８が接続されている。
【００１４】
ドライブ３はビデオレコーディング規格のＤＶＤから成るディスクを駆動してディスクに記録された信号を読み取る。操作部４は複数の操作キーから成り、ディスク再生装置１の操作を行う。受信部４は赤外線受信器等から成り、リモートコントローラ（以下「リモコン」という）１０から送信された信号を受信する。これにより、操作部４と同様にリモコン１０によるディスク再生装置１の操作ができるようになっている。
【００１５】
音声出力部６はスピーカが接続され、ディスクから読み取った信号に基づいてオーディオ信号を出力する。画像出力部７はディスプレイが接続され、ディスクから読み取った信号に基づいてビデオ信号を出力する。これにより、映像の視聴を行うことができる。記憶部８はＥＥＰＲＯＭやＲＡＭ等のメモリから成り、設定条件や動作プログラムの格納及びＣＰＵによる演算の一時記憶を行う。
【００１６】
図２はリモコン１０を示す平面図である。リモコン１０には複数の操作キーが設けられている。電源キー１１はディスク再生装置１の電源のオンオフを行う。画像操作キー１２はディスクの再生、停止、一時停止やチャプターの送り、戻しを行う。メニューキー１３は操作メニューをディスプレイに表示する。
【００１７】
サーチキー１４は詳細を後述するように、オリジナル画像やプレイリストの画像をサーチするサーチ画面をディスプレイに表示する。カーソルキー１５はディスプレイに表示されたカーソルを移動して項目の選択等を行う。数値キー１６は数値入力してディスプレイに表示された項目番号の選択等を行う。
【００１８】
上記構成のディスク再生装置１において、ディスクが装填されると信号が読取り可能な所定位置に該ディスクがロードされ、図３のフローチャートに示す動作が行われる。ステップ＃１１ではディスクからオリジナル画像のタイトル情報が取得される。ステップ＃１２では取得したタイトル情報が記憶部８に記憶される。
【００１９】
ステップ＃１３ではディスクからプレイリストのタイトル情報が取得される。ステップ＃１４では取得したタイトル情報が記憶部８に記憶される。ステップ＃１５ではオリジナル画像の先頭のタイトルの再生が開始される。これにより、音声及び画像がスピーカ及びディスプレイから出力され、画像操作キー１２を操作して視聴することができる。
【００２０】
また、サーチキー１４を操作すると、オリジナル画像チャプターサーチ、オリジナル画像タイトルサーチ、プレイリストタイトルサーチ、タイムサーチの順に各サーチ画面が切り替えて表示されるようになっている。オリジナル画像チャプターサーチは再生中のオリジナル画像のタイトルに含まれるチャプターが一覧表示される。ユーザーはカーソルキー１５や数値キー１６の操作によって所望のチャプターを選択し、選択したチャプターの先頭から再生することができる。
【００２１】
タイムサーチは再生中のタイトルの先頭からの時間を入力する画面が表示される。ユーザーは数値キー１６により時間を入力して所望の位置から再生することができる。
【００２２】
オリジナル画像タイトルサーチは後述するプレイリストタイトルサーチ（図５参照）の場合と同様に、オリジナル画像に含まれる各タイトルが一覧表示される。ユーザーはカーソルキー１５や数値キー１６の操作によって所望のタイトルを選択し、選択したタイトルの先頭から再生することができる。
【００２３】
プレイリストタイトルサーチは図５に示すように、プレイリストに含まれる各タイトルが一覧表示される。ユーザーはカーソルキー１５によるカーソルＫの移動や数値キー１６によってタイトルの番号を数値入力して所望のタイトルを選択する。そして、ジャンプボタンＪを操作することによって選択されたプレイリストのタイトルの先頭から再生することができる。
【００２４】
図４はプレイリストタイトルサーチを選択した時の動作を示すフローチャートである。ステップ＃２１では記憶部８からプレイリストのタイトル情報が取得される。ステップ＃２２では図５に示すサーチ画面が表示され、タイトルが一覧表示される。
【００２５】
ステップ＃２３ではサーチキー１４が操作されたか否かが判断される。ステップ＃２４ではタイトルを選択してジャンプボタンＪが操作されたか否かが判断される。サーチキー１４の操作或いはタイトルの選択のいずれかが行われるまでステップ＃２３、＃２４が繰り返し行われ、待機状態になる。
【００２６】
待機状態からサーチキー１４が操作されるとプレイリストタイトルサーチの処理を終了してタイムサーチの処理に移行する。待機状態からタイトルの選択が行われるとステップ＃２５で記憶部８から位置情報が所得され、指定したタイトルの先頭から再生が行われる。
【００２７】
また、プレイリストの画像を再生中にサーチキー１４を操作すると、上記と同様にプレイリストチャプターサーチ、プレイリストタイトルサーチ、オリジナル画像タイトルサーチ、タイムサーチの順に各サーチ画面が切り替えて表示される。プレイリストチャプターサーチは再生中のプレイリストのタイトルに含まれるチャプターが一覧表示される。また、タイムサーチでは再生中のプレイリストのタイトルの先頭からの時間を入力する画面が表示される。
【００２８】
オリジナル画像タイトルサーチを選択すると、前述の図４と同様の処理が行われる。即ち、記憶部８からオリジナル画像のタイトル情報が取得され、タイトルが一覧表示される。そして、タイトルの選択によってオリジナル画像の指定したタイトルが再生される。
【００２９】
本実施形態によると、オリジナル画像のタイトル情報とプレイリストのタイトル情報とをディスクのロード時に読み込んでメモリから成る記憶部８に記憶するので、プレイリスト及びオリジナル画像のサーチ時にタイトル情報を記憶部８から取得できる。これにより、ディスクを停止することなくサーチ画面を表示してサーチの操作が簡単になるとともに、操作時間が短縮される。従って、ディスク再生装置の使用性を向上させることができる。
【００３０】
尚、本実施形態において、ビデオレコーディング規格から成るディスクを再生するディスク再生装置について説明しているが、プレイリストを有する他のフォーマットから成るディスクを再生するディスク再生装置であってもよい。
【００３１】
【発明の効果】
本発明によると、オリジナル画像のタイトル情報とプレイリストのタイトル情報とをディスクのロード時に読み込んでメモリに記憶するので、プレイリスト及びオリジナル画像のサーチ時にタイトル情報をメモリから取得できる。これにより、ディスクを停止することなくサーチ画面を表示してサーチの操作が簡単になるとともに操作時間が短縮される。従って、ディスク再生装置の使用性を向上させることができる。
【図面の簡単な説明】
【図１】は、本発明の実施形態のディスク再生装置の構成を示すブロック図である。
【図２】は、本発明の実施形態のディスク再生装置のリモコンを示す平面図である。
【図３】は、本発明の実施形態のディスク再生装置のロード時の動作を示すフローチャートである。
【図４】は、本発明の実施形態のディスク再生装置のプレイリストタイトルサーチの動作を示すフローチャートである。
【図５】は、本発明の実施形態のディスク再生装置のプレイリストタイトルサーチのサーチ画面を示す図である。
【図６】は、プレイリストの構成を説明する概念図である。
【符号の説明】
１    ディスク再生装置
２    制御部
３    ドライブ
４    操作部
５    受信部
６    音声出力部
７    画像出力部
８    記憶部
１０    リモコン
１１    電源キー
１２    画像操作キー
１３    メニューキー
１４    サーチキー
１５    カーソルキー
１６    数値キー
【図１】
2004334955.tif 000003
【図２】
2004334955.tif 000004
【図３】
2004334955.tif 000005
【図４】
2004334955.tif 000006
【図５】
2004334955.tif 000007
【図６】
2004334955.tif 000008